(57)【要約】【課題】回転後のカーソルやウインドウを操作者が容易に認識できる情報処理装置および回転表示方法を提供することを目的とする。【解決手段】表示内容を回転表示可能な表示手段１と、表示手段１に表示されるウインドウを管理するウインドウ管理手段２と、表示手段１に表示されるカーソルを管理するカーソル管理手段３と、表示内容の回転角度を指定する表示回転角度指示手段４と、表示内容の回転が指示されたときに回転の前後にカーソルの表示手段１上の絶対位置が変化しないようにカーソルを移動させるカーソル移動手段５と、ウインドウとカーソルの重なりを検知する検知手段６と、表示回転角度指示手段４によって回転が指示されたときに回転の前後にカーソルとその下のウインドウとの相対位置が変化しないようにウインドウを移動させるウインドウ移動手段７とを有する。【選択図】  図１
2004199127.tif 000002
【特許請求の範囲】
【請求項１】
表示内容を回転表示可能な表示手段と、前記表示手段に表示されるウインドウを管理するウインドウ管理手段と、前記表示手段に表示されるカーソルを管理するカーソル管理手段と、前記表示内容の回転角度を指定する表示回転角度指示手段と、前記表示回転角度指示手段によって回転が指示されたときに回転の前後にカーソルの表示装置上の絶対位置が変化しないようにカーソルを移動させるカーソル移動手段とを有する情報処理装置。
【請求項２】
ウインドウとカーソルとの重なりを検知する検知手段と、前記表示回転角度指示手段によって回転が指示されたときに回転の前後にカーソルとその下のウインドウとの相対位置が変化しないようにウインドウを移動させるウインドウ移動手段とを有する請求項１記載の情報処理装置。
【請求項３】
表示手段の表示内容を回転指示するステップと、前記回転指示に伴い現在のカーソルの絶対位置を記憶するステップと、前記カーソルの下にあるウインドウと前記カーソルとの相対位置を記憶するステップと、前記表示内容の回転角度を指示するステップと、前記カーソルの絶対位置を回転前の位置に移動するステップとを有する回転表示方法。
【請求項４】
ウインドウとカーソルとの重なりを検知し、回転が指示されたときに回転の前後にカーソルとその下のウインドウとの相対位置が変化しないようにウインドウを移動させるステップを有する請求項３記載の回転表示方法。
【発明の詳細な説明】
【０００１】
【発明の属する技術分野】
本発明は、表示内容を回転して表示する情報処理装置および回転表示方法に関するものである。
【０００２】
【従来の技術】
従来のパーソナルコンピュータ等の情報処理装置では、液晶表示装置等の表示装置を水平に設置し、商談等に利用する場合があった。このため、説明する側と説明を受ける側が対面して商談を行なう際に、表示内容を１８０度回転させて、説明を受ける側に向けて表示することができるように考えられていた（例えば特許文献１参照）。
【０００３】
このような情報処理装置においては、説明する側が必要に応じて表示内容を回転させて自分の方に向け、表示内容を確認したり文字を入力した上で再度表示内容を回転させて説明を受ける側に向けるということが頻繁に行なわれている。
【０００４】
図５および図６は情報処理装置における表示装置の表示画面を示すもので、図５は表示内容の回転前、図６は回転後を示している。図において、１１は表示画面、１２は表示内容であるウインドウ、１３は表示内容であるカーソルで、カーソル１３はウインドウ１２などの位置を指示するものである。
【０００５】
以上のように構成された情報処理装置において、操作者が対面する相手に説明する場合、特定のキーの押下などの表示回転角度指示手段を用いて、表示内容の回転指示を与える。この回転指示により、図６に示すように、表示画面１１内のウインドウ１２、カーソル１３を含む表示内容のすべてが１８０度回転する。
【０００６】
これにより、対面する相手に表示内容を正しく認識させ、操作者が説明することができる。
【０００７】
【特許文献１】
特開２０００−０５６８７８号公報（図３）
【０００８】
【発明が解決しようとする課題】
しかしながら、従来の情報処理装置では、表示内容を回転した際にカーソルも同時に回転し絶対位置が移動してしまい、操作者がこれを見失ってしまうという問題点があった。
【０００９】
また、カーソルが特定のウインドウを指していた場合には、ウインドウをも見失ってしまい、即座に表示内容を確認したり文字を入力したりできない場合があった。
【００１０】
本発明は、表示内容の回転後のカーソルやウインドウを操作者が容易に認識できる情報処理装置および回転表示方法を提供することを目的とする。
【００１１】
【課題を解決するための手段】
上記課題を解決するために、本発明の情報処理装置は、表示手段と、前記表示手段に表示されるウインドウを管理するウインドウ管理手段と、前記表示手段に表示されるカーソルを管理するカーソル管理手段と、前記表示内容の回転角度を指定する表示回転角度指示手段と、前記表示回転角度指示手段によって回転が指示されたときに回転の前後にカーソルの表示装置上の絶対位置が変化しないようにカーソルを移動させるカーソル移動手段とを備えたものである。
【００１２】
これにより、回転後のカーソル位置の識別を容易に行なうことができる。
【００１３】
さらに、ウインドウ移動手段を備えることにより、カーソルが特定のウインドウを指し示していた場合に表示内容を回転させても回転前と同じ位置にウインドウを表示することができ、回転後の文字入力などを即座に行なうことができる。
【００１４】
【発明の実施の形態】
本発明の請求項１に記載の発明は、表示内容を回転表示可能な表示手段と、前記表示手段に表示されるウインドウを管理するウインドウ管理手段と、前記表示手段に表示されるカーソルを管理するカーソル管理手段と、前記表示内容の回転角度を指定する表示回転角度指示手段と、前記表示回転角度指示手段によって回転が指示されたときに回転の前後にカーソルの表示装置上の絶対位置が変化しないようにカーソルを移動させるカーソル移動手段とを有する情報処理装置であり、回転の前後でカーソルの表示装置上の絶対位置が変わらないため、カーソル位置の識別を容易に行なうことができるという作用を有する。
【００１５】
請求項２に記載の発明は、請求項１記載の情報処理装置において、ウインドウとカーソルとの重なりを検知する検知手段と、前記表示回転角度指示手段によって回転が指示されたときに回転の前後にカーソルとその下のウインドウとの相対位置が変化しないようにウインドウを移動させるウインドウ移動手段とを有するもので、カーソルが特定のウインドウを指し示していた場合に表示を回転させても回転前と同じ位置に表示することができ、回転後の文字入力などを即座に行なうことができるという作用を有する。
【００１６】
請求項３に記載の発明は、表示手段の表示内容を回転指示するステップと、前記回転指示に伴い現在のカーソルの絶対位置を記憶するステップと、前記カーソルの下にあるウインドウと前記カーソルとの相対位置を記憶するステップと、前記表示内容の回転角度を指示するステップと、前記カーソルの絶対位置を回転前の位置に移動するステップとを有する回転表示方法であり、回転の前後でカーソルの表示装置上の絶対位置が変わらないため、カーソル位置の識別を容易に行なうことができるという作用を有する。
【００１７】
請求項４に記載の発明は、請求項３記載の回転表示方法において、ウインドウとカーソルとの重なりを検知し、回転が指示されたときに回転の前後にカーソルとその下のウインドウとの相対位置が変化しないようにウインドウを移動させるステップを有するもので、カーソルが特定のウインドウを指し示していた場合に表示を回転させても回転前と同じ位置に表示することができ、回転後の文字入力などを即座に行なうことができるという作用を有する。
【００１８】
以下に、本発明の実施の形態を図面を用いて説明する。
【００１９】
（実施の形態１）
図１は、本発明の一実施の形態における情報処理装置の構成図、図２は表示内容の回転処理を示すフローチャート、図３と図４は表示装置の表示画面である。なお、表示内容の回転前の表示画面および回転後の一時的な表示画面はそれぞれ従来例の図５および図６と同じであるため、同一の符号を使用し説明を省略する。
【００２０】
図１において、１はウインドウやカーソルなどの表示内容を表示する表示手段で、液晶表示装置等の表示装置である。２は表示手段１に表示されるウインドウの座標などを管理するウインドウ管理手段、３は表示手段１に表示されるカーソルの座標などを管理するカーソル管理手段、４は表示手段１に表示すべき表示内容の回転角度を指示する表示回転角度指示手段、５は表示回転角度指示手段によって表示内容が回転された場合に、回転前のカーソルの表示手段１上での絶対座標を記憶しておき、回転後にカーソルをもとの位置に移動させるカーソル移動手段、６はウインドウとカーソルの重なりを検知する検知手段、７は表示回転角度指示手段によって回転が指示されたときに回転の前後にカーソルとその下のウインドウとの相対位置が変化しないようにウインドウを移動させるウインドウ移動手段である。
【００２１】
以下では、表示回転角度指示手段４が特定のキーの押下の場合について、図２のフローチャートおよび図３から図６の表示画面により説明する。
【００２２】
図２は、本実施の形態における回転処理を示すフローチャートである。
【００２３】
ステップ１で、表示回転角度指示手段４により回転指示キーが押下されたか否かをチェックし、押下された場合にはステップ２に移り、そうでない場合にはステップ１に戻る。
【００２４】
ステップ２で、カーソル移動手段５が図５における現在のカーソル１３の絶対位置を記憶する。
【００２５】
ステップ３で、ウインドウ移動手段７がカーソル１３の下にあるウインドウ１２とカーソル１３との相対位置を記憶する。
【００２６】
ステップ４で、表示手段１に表示内容の回転角度を指示し、以後表示内容が回転して表示される。これによりカーソル１３の絶対位置が変化する（図６）。
【００２７】
ステップ５でカーソル１３の絶対位置を回転前の位置に移動する（図３）。
【００２８】
ステップ６で、回転前にカーソル１３の下にあったウインドウ１２を、回転前と同じカーソル１３との相対位置に移動する（図４）。
【００２９】
これにより、表示内容の回転前と回転後で表示画面上のカーソルの絶対位置が変化しないため、操作者はカーソルを見失うことがなく、回転後のカーソル位置の識別を容易に行なうことができる。
【００３０】
また、カーソルが特定のウインドウを指し示していた場合に、表示内容を回転させてもウインドウを回転前と同じ位置に表示することができ、回転後の文字入力などを即座に行なうことができる。
【００３１】
【発明の効果】
以上詳述したように、本発明によれば、表示内容の回転直後であっても即座にカーソルやウインドウの位置を認識することができ、回転後のカーソルやウインドウを操作者が容易に認識できる情報処理装置および回転表示方法が得られる。
【図面の簡単な説明】
【図１】本発明の一実施の形態に係る情報処理装置の構成図
【図２】本発明の一実施の形態における回転処理を示すフローチャート
【図３】回転前における表示装置の表示画面を示す図
【図４】回転後における表示装置の表示画面を示す図
【図５】回転前における表示装置の表示画面を示す図
【図６】回転後における表示装置の表示画面を示す図
【符号の説明】
１  表示手段
２  ウインドウ管理手段
３  カーソル管理手段
４  表示回転角度指示手段
５  カーソル移動手段
６  検知手段
７  ウインドウ移動手段
１１  表示画面
１２  ウインドウ
１３  カーソル
【図１】
2004199127.tif 000003
【図２】
2004199127.tif 000004
【図３】
2004199127.tif 000005
【図４】
2004199127.tif 000006
【図５】
2004199127.tif 000007
【図６】
2004199127.tif 000008